(57)【要約】【課題】  香りの強弱を調整可能として適度なストレス抑制効果を発揮させることのできるフロアパネル取付型香り発生器を提供する。 【解決手段】   フロアパネルの電気配線引出用の切欠部に取り付けられるフロアパネル取付型香り発生器であって、フロアパネル上に突出しないように切欠部に配設される略箱状をした下ケース１２及び上ケース１３と、下ケース１２に着脱自在に設けられた芳香剤容器１５と、上ケース１３の上面に設けられた、前記芳香剤容器１５からの香りを吹き出す吹出し口３４と、この吹出し口３４の開口量を調整自在として芳香の強弱を調節するシャッター部材３６と、吹出し口３４から吹き出される香りを通風蓋を介して上方に吹き出させるシロッコファン１８及びモータ２０とを備える。【選択図】      図３
2005307514.tif 000002
【特許請求の範囲】
【請求項１】
フロアパネルの電気配線引出用の切欠部に取り付けられるフロアパネル取付型香り発生器であって、
前記フロアパネル上に突出しないように前記切欠部に配設される略箱状をした本体部と、
上面がフロアパネル上面と略面一となるように前記本体部に取り付けられる通風性を有する通風蓋と、
前記本体部に設けられた芳香剤収容部と、
前記本体部の上面に設けられた、前記芳香剤収容部からの香りを吹き出す吹出し口と、
前記吹出し口の開口量を調整自在として芳香の強弱を調節するシャッター部材と、
前記本体部に配設され、前記吹出し口から吹き出される香りを前記通風蓋を介して上方に吹き出させる送出しユニットとを備えた
ことを特徴とするフロアパネル取付型香り発生器。 
【請求項２】
フロアパネルの電気配線引出用の切欠部に取り付けられるフロアパネル取付型香り発生器であって、
前記フロアパネル上に突出しないように前記切欠部に配設される略箱状をした本体部と、
上面がフロアパネル上面と略面一となるように前記本体部に取り付けられると共に、中心部から放射状に香りを吹き出すための開口部が形成されて通風性を有する通風蓋と、
前記本体部に設けられた芳香剤収容部と、
前記本体部の上面に設けられると共に前記通風蓋の略中心と対応する位置に配置された、前記芳香剤収容部からの香りを吹き出す吹出し口と、
前記本体部に配設され、前記吹出し口から吹き出される香りを前記通風蓋を介して上方に吹き出させる送出しユニットと、
前記送出しユニットによって前記芳香剤収容部から略水平方向に吸い込んだ香りを前記吹出し口へと略垂直上方向に吹き出す通風経路とを備えた
ことを特徴とするフロアパネル取付型香り発生器。 
【請求項３】
フロアパネルの電気配線引出用の切欠部に取り付けられるフロアパネル取付型香り発生器であって、
前記フロアパネル上に突出しないように前記切欠部に配設される略箱状をした本体部と、
上面がフロアパネル上面と略面一となるように前記本体部に取り付けられる通風性を有する通風蓋と、
前記本体部に設けられた芳香剤収容部と、
前記本体部の上面に設けられた、前記芳香剤収容部からの香りを吹き出す吹出し口と、
前記本体部に配設され、前記吹出し口から吹き出される香りを前記通風蓋を介して上方に吹き出させる送出しユニットと、
前記送出しユニットを制御して香りを間欠的に吹き出させる制御部を備えた
ことを特徴とするフロアパネル取付型香り発生器。 
【請求項４】
少なくとも請求項１から請求項３の何れか一つに記載されたフロアパネル取付型香り発生器であって、
前記芳香剤収容部は、前記本体部に対して着脱自在に取り付けられている
ことを特徴とするフロアパネル取付型香り発生器。
【発明の詳細な説明】
【技術分野】
【０００１】
本発明は、例えば、オフィスビル等に設けられる二重床システムのフロアパネルに取り付けられ、室内にストレス抑制効果を持つ香りを吹き出すフロアパネル取付型香り発生器に関するものである。   
【背景技術】
【０００２】
例えば、オフィスビル等では、床面上に所定空間を形成してフロアパネルを敷設することにより二重床構造とした、いわゆる二重床システムが採用されており、そのフロアパネルの電気配線引出用の切欠部に、ストレス解消などを目的とする香りを発生させる香り発生器を配置することが考えられている（例えば、特許文献１など参照）。
【０００３】
この香り発生器は、切欠部に挿入配置される本体部と、この本体部の上部に取り付けられる通風蓋と、本体部に設けられた香料ボックスと、この香料ボックスに収容された香料の香りを吸い込み前記通風蓋を介して上方に吹き出すモータ及びファンとから構成されている。
【特許文献１】特開２００３−２２５２９４号公報（第３頁及び第４頁、第１図から第４図）
【発明の開示】
【発明が解決しようとする課題】
【０００４】
しかしながら、前記香り発生器では、香りの強弱（香料を吹き出す量の強弱）を調整するための手段が無く、モータの電源を入れることで一定量の香りを吹き出す構成であるため、オフィス内で満足の行く香りが得られない。また、この香り発生器では、モータのスイッチを一度ＯＮすると、ファンが回転し続ける構成であるため、オフィス内に香りが充満しきつい臭いとなり、ストレス抑制効果が薄れてしまう。特に、香りの吹き出し方向が考慮されていないため、一箇所に香りが集中するという問題もある。
【０００５】
また、この香り発生器では、本体部の上方が大きく開口されているため、ゴミが内部に進入したり、水などが進入することも考えられ、防塵機能及び防水機能の面で考慮する余地がある。
【０００６】
そこで、本発明は、上記の課題を解決するためになされたものであり、香りの強弱を調整可能として適度なストレス抑制効果を発揮させることのできるフロアパネル取付型香り発生器を提供することを目的とする。
【課題を解決するための手段】
【０００７】
本発明に係るフロアパネル取付型香り発生器は、フロアパネルの電気配線引出用の切欠部に取り付けられるフロアパネル取付型香り発生器であって、フロアパネル上に突出しないように切欠部に配設される略箱状をした本体部と、上面がフロアパネル上面と略面一となるように前記本体部に取り付けられる通風性を有する通風蓋とを主たる構成とする。
【０００８】
そして、さらにこのフロアパネル取付型香り発生器では、本体部に設けられた芳香剤収容部と、前記本体部の上面に設けられた、前記芳香剤収容部からの香りを吹き出す吹出し口と、前記吹出し口の開口量を調整自在として芳香の強弱を調節するシャッター部材と、前記本体部に配設され、前記吹出し口から吹き出される香りを前記通風蓋を介して上方に吹き出させる送出しユニットとを備えたことを特徴とする。
【発明の効果】
【０００９】
本発明のフロアパネル取付型香り発生器によれば、吹出し口の開口量を調整自在として芳香の強弱を調整するシャッター部材を有するので、香りが強いときにはシャッターを閉め、香りが弱いときにはシャッターを閉じることにより室内を常に適度な香りの状態に保つことができる。
【発明を実施するための最良の形態】
【００１０】
以下、本発明を適用した具体的な実施の形態について図面を参照しながら詳細に説明する。本実施の形態では、先ず、二重床システムについて説明した後、この二重床システムのフロアパネルに取り付けられるフロアパネル取付型香り発生器について説明するものとする。
【００１１】
「二重床システム」
先ず、オフィスビルに設けられる二重床システムについて説明する。二重床システムは、オフィスビルやコンピュータビル等のオフィスに設けられるもので、図２に示すように、建物躯体であるオフィスの床下地１の上方に支持具（図示は省略する）にて隙間（所定空間）２を介してフロアパネル３を配設し、前記隙間２を配線空間としてここに電気配線を配設するものである。 
フロアパネル３は、図７から図９に示すように、平面視正方形状をした板状のもので、床下地１の上方に隙間２を介して配設された際に上面がオフィスの床面となるものである。このフロアパネル３には、四隅にコーナーロックネジ等の固着具が挿通される貫通孔４がそれぞれ穿孔されると共に、この貫通孔４が穿孔される各隅部の下面には、支持具に載置される凹段部が凹設されるものである。
【００１２】
フロアパネル３を載置させる支持具は、特に図示はしないが、オフィスの建物躯体である床下地１の上面に載置されるもので、床下地１の上面に直接載置される台座部と、台座部より上方に突出する脚柱部と、脚柱部の上端部に設けられる受け部とで構成される。受け部には、フロアパネル３の隅部が載置される隅部載置部が四つ形成してあり、一つの支持具にて四枚のフロアパネル３の隅部を載置可能としてある。この隅部載置部は、上述したフロアパネル３の隅部下面の凹段部が載置された際に、この凹段部に穿孔されている貫通孔４と連通するようにコーナーロック等の固着具が螺合される雌ねじ穴が形成してある。 
フロアパネル３を床下地１の上方に配設するには、まず、支持具をオフィスの床下地１の上面に平面視において格子点状に配置する。そして、この支持具が配置されている格子点を四頂点とするように平面視正方形状をしたフロアパネル３のそれぞれの頂点である隅部を支持具の受け部に形成してある隅部載置部に載置し、このとき連通するフロアパネル３に形成した貫通孔４と支持具に形成した雌ネジ部とにコーナーロックネジを挿通・螺着して固定するものである。 
このようにして配設するフロアパネル３のうちの幾つかは、フロアパネル３の下側の隙間２に配設される電気配線を該フロアパネル３の上側に引き出すための切欠部５が形成されるワイヤリングパネル３ａと称されるものであり、また、ワイヤリングパネル３ａ以外のフロアパネル３で切欠部５が形成されないものはプレーンパネル３ｂと称される。
【００１３】
ワイヤリングパネル３ａは、プレーンパネル３ｂの側辺（本実施形態では相対向する二側辺）に平面視略コ字状をした切欠部５を形成するもので、この切欠部５よりフロアパネル３の下側の配線空間に配設してある電気配線を該フロアパネル３の上側に引き出したり、あるいはこの切欠部５に電気配線の一端部が接続されるコンセント等の電気器具を取り付けて使用するものである。切欠部５の縁部上面には、電気器具や後述する蓋体が取り付けられる機器取付部６としての凹段部が形成される。 
このような切欠部５を設けたワイヤリングパネル３ａは、予め幾つか分散させて配設して置き、電気配線をフロアパネル３の下側から上側に引き出す際に引き出したい箇所に一番近い切欠部５から引き出したり、あるいは、コンセント等の電気器具を切欠部５に取り付けると共に電気配線の一端部をこの電気器具に接続して使用したりするものである。また、このワイヤリングパネル３ａは、電気配線が引き出されず電気器具も取り付けられずに使用されない切欠部５には、上面がフロアパネル３の上面とほぼ面一となる蓋体（図示せず）を取り付けて切欠部５を閉塞するものである。また、電気配線を引き出す場合には、電気配線が挿通される孔が形成された配線取出用蓋体（図示せず）を切欠部５に取付けて前記孔より電気配線を引き出してもよいものである。 
ワイヤリングパネル３ａを配設するには、図１０（Ａ）に示すようにフロアパネル３を全てワイヤリングパネル３ａで配設したり、図１０（Ｂ）に示すようにワイヤリングパネル３ａとプレーンパネル３ｂとを１：１の数比で配設したり、図１０（Ｃ）に示すようにワイヤリングパネル３ａとプレーンパネル３ｂとを１：３の数比で配設したりすることが考えられる。本実施の形態では、ワイヤリングパネル３ａとプレーンパネル３ｂとの数比が限定されるものではなく、ワイヤリングパネル３ａ二枚を隣接配置すると共に切欠部５を形成した側辺同士を突き合わせ、お互いの切欠部５、５を連通させて平面視略正方形状をした取付用切欠部７を形成するものである。そして、この取付用切欠部７に、本発明に係るフロアパネル取付型香り発生器８を取付けるものである。 
「フロアパネル取付型香り発生器」
本発明に係るフロアパネル取付型香り発生器８は、図１から図７に示すように、フロアパネル３上に突出しないように前記取付用切欠部７に配設される略箱状をした本体部９と、上面がフロアパネル３上面と略面一となるように前記本体部９に取り付けられる通風性を有する通風蓋１０とを有している。
【００１４】
本体部９は、図１及び図２に示すように、取付用切欠部７に挿入配置され外殻を形成する本体ケース１１と、この本体ケース１１に収納される下ケース１２及び上ケース１３とからなる。
【００１５】
本体ケース１１は、その内部に下ケース１２及び上ケース１３を嵌入させるに足る空間部を有した平面視四角形状の上方を開口した箱体として形成されている。そして、この本体ケース１１の開口周縁部には、外方へ突出するつば部（フランジ部）であるグリル枠１４が形成されている。かかるグリル枠１４は、前記した取付用切欠部７の開口周縁部上に載せられることにより、当該フロアパネル取付型香り発生器８を前記取付用切欠部７に装着させる。また、このグリル枠１４の内側には、本体ケース１１の開口を覆うようにしてグリルである通風蓋１０を配置させる凹部として形成される通風蓋載置部３７が形成されている。なお、このグリル枠１４は、本体ケース１１が取付用切欠部７に挿入配置されたときに、その上面がフロアパネル３の上面部とほぼ面一となる。ほぼ面一とは、フロアパネル３の上面と同じ高さの他に、このフロアパネル３の上面から多少突出した状態も含む意味である。
【００１６】
下ケース１２と上ケース１３は、図３から図５に示すように、着脱自在に取り付けられ結合することにより箱体を構成し、前記本体ケース１１に嵌入されるようになっている。そして、これら下ケース１２と上ケース１３は、例えばネジなどの締結具により固定可能とされている。
【００１７】
下ケース１２は、上ケース１３と結合する上面を開口させた箱体として形成され、その内部に独立した小部屋を有している。かかる小部屋は、芳香剤容器１５を収容させる芳香剤収容部としての芳香剤収容室１６と、芳香剤容器１５内の芳香剤１７の香りを吸い込むファンであるシロッコファン１８を収容させるファン収容室１９と、シロッコファン１８を回転駆動させるモータ２０を収容させるモータ収容室２１と、電源（例えば、１００Ｖ電源を使用レベルの電圧に変換する回路、基板や乾電池）などを収容させる電子機器収容室２２からなり、これら各室はそれぞれの隔壁２３、２４、２５、２６によって独立した部屋として分離されている。
【００１８】
芳香剤収容室１６とファン収容室１９とモータ収容室２１は、この順序で隣接して一列に配置されている。そして、これら芳香剤収容室１６、ファン収容室１９及びモータ収容室２１の列の隣の例に、電子機器収容室２２が配置されている。
【００１９】
芳香剤収容室１６は、平面視矩形状の開口として上下方向に貫通しており、後述する芳香剤容器１５の底面周縁部の数ヶ所を支える突起として形成される受け部２７を有している。芳香剤容器１５は、これら受け部２７の上に載せられることで芳香剤収容室１６内に保持される。また、芳香剤収容室１６とファン収容室１９とを隔てる隔壁２３は、芳香剤容器１５の底面を受ける程度の低い高さとされている。
【００２０】
芳香剤容器１５は、芳香剤１７を収容する通気性の良いケース２８と、このケース２８に対して着脱自在とされた蓋２９とから構成される。ケース２８には、底面及びシロッコファン１８と対向する側面にそれぞれ香りを放出させるための複数のスリット３０が形成されている。これらスリット３０は、芳香剤１７が漏れ出さない程度の大きさとされ、ケース２８内の通気性を良好なものとする。一方、蓋２９には、芳香剤容器１５を芳香剤収容室１６から取り出すための摘み３１が形成されている。かかる芳香剤容器１５は、工具を必要とすることなく手で引っ張り上げることにより簡単に芳香剤収容室１６から着脱できるようになっている。したがって、フロアパネル３の取付用切欠部７に埋め込んだ後でもフロアパネル取付型香り発生器８全体を取り外すことなく芳香剤１７を交換することができる。
【００２１】
そして、芳香剤容器１５に収容される芳香剤１７には、ストレス抑制効果（例えば、リラックス効果、リフレッシュ効果）を持つ香りが選ばれる。例えば、科学的にストレス軽減効果が検証されているラベンダー、レモン、ジャスミンなどの香りを持つ芳香剤１７を使用することがストレス抑制効果を促進させる上で好ましい。また、芳香剤１７には、多孔質の球状粒子にラベンダーなどの香りを含浸させたものを使用する。具体的には、ダンボール廃材を粒状にした球状粒子に香り成分を含浸させる。ダンボール廃材を使用すれば、燃えるゴミとして破棄可能であることから環境にも優しい。なお、芳香剤１７は、一例ではあるが芳香剤容器１５内に１５ｇ程度収容される。
【００２２】
ファン収容室１９は、芳香剤収容室１６と同程度の収容容積を有し、その内部にシロッコファン１８を収容配置させている。そして、このファン収容室１９に配置されるシロッコファン１８は、吸込口３２を芳香剤収容室１６に向けるようにして配置されている。また、このファン収容室１９は、芳香剤収容室１６とは異なり、通風経路を構成する底部３３を有している。かかる底部３３は、芳香剤容器１５に収容した芳香剤１７の香りをほぼ水平方向に吸い込んで後述する上ケース１３に形成された吹出し口３４へと上方垂直方向へと滑らかに吹き出す（図３（Ａ）の矢印参照）ように湾曲したＲ形状とされている。
【００２３】
モータ収容室２１は、ファン収容室１９を挟んで芳香剤収容室１６とは反対側の位置に設けられている。このモータ収容室２１には、隔壁２４を挟んでファン収容室１９に配置されたシロッコファン１８を回転駆動するモータ２０が配置される。このモータ２０を作動させることによってシロッコファン１８を、例えば図５（Ａ）中矢印で示す方向に回転させるようになっている。
【００２４】
電子機器収容室２２には、電源ユニット（例えば、１００Ｖ電源を使用レベルの電圧に変換する回路、基板や乾電池）やシロッコファン１８の回転を制御する制御部などを実装した電子回路基板などが収容される。この電子機器収容室２２は、芳香剤収容室１６、ファン収容室１９及びモータ収容室２１に対して隔壁２６により区画されている。なお、シロッコファン１８、モータ２０、電源及び電子回路基板は、本発明の送出しユニットを構成する。
【００２５】
上ケース１３は、下ケース１２の上方開口を閉塞するように、この下ケース１２に取り付けられる。かかる上ケース１３には、シロッコファン１８と対向する位置に、香りを室内へと吹き出させるための複数の吹出孔３５からなる吹出し口３４が形成されている。この吹出し口３４は、後述する通風蓋１０の略中心と対応する位置に形成されており、有効開口面積は本体面積の数％程度である。このように、吹出し口３４を複数の吹出孔３５によって形成し且つ通風蓋１０の中心と対応する位置にのみ形成したことで、下ケース１２内への塵や埃の侵入を防止し、芳香剤１７やモータ２０をこれら塵や埃から保護することができる。
【００２６】
また、上ケース１３には、吹出し口３４の開口量を調整自在として芳香の強弱を調整するシャッター部材３６がスライド自在に取り付けられている。かかるシャッター部材３６は、吹出し口３４を閉じる位置と開放する位置との間をスライド自在として上ケース１３の裏面に設けられている。このシャッター部材３６には、指などで操作することができるように操作片３８が形成されている。また、シャッター部材３６は、吹出し口３４を全開から全閉まで任意の開口量（吹出し口３４の開口率を０〜１００％）として自在に手動調整できるようになっている。そして、このシャッター部材３６には、任意の位置でシャッター部材３６がロックできるように、吹出孔３５に係合する突起部３９がその先端側に設けられている。シャッター部材３６を全部閉めると、香りは室内（オフィス内）には入ってこない。なお、シャッター部材３６の操作片３８は、通風蓋１０を取り外すと表に現れ、指で簡単に操作することが出来るようになっている。
【００２７】
また、上ケース１３には、電子機器収容室２２と対応する位置に、このフロアパネル取付型香り発生器８が動作しているか否か（具体的には、シロッコファン１８が回転して香りを吹き出させているか否か）を示すための発光部４０が天面１３ａに設けられている。発光部４０としては、視認性に優れた例えば発光ダイオード（ＬＥＤ）が用いられる。もちろん、発光ダイオード以外の光源を発光部４０として使用することもできる。
【００２８】
一方、通風蓋１０は、本体ケース１１に形成された通風蓋載置部３７の外形とほぼ同じ平面視正方形状をなし、この通風蓋載置部３７に嵌入装置されて上ケース１３の上面を閉塞する。この通風蓋１０には、中心部から放射状に香りを吹き出すための開口部が形成されており、具体的にはグリル状部４１が格子状に形成され、中心部を境にして左右方向にそれぞれ放射状に香りを吹き出すための吹出開口部４２が形成されている。
【００２９】
そして、上記のように構成されたフロアパネル取付型香り発生器８においては、図６に示すように、香りを間欠的に吹き出させるために、タイマー４３と、シロッコファン１８及びモータ２０を駆動制御するドライバー４４と制御部（ＣＰＵ）４５とを有している。このフロアパネル取付型香り発生器８の駆動スイッチをＯＮすると、タイマー４３が作動し制御部４５からドライバー４４にモータ２０を駆動する指令が出され、シロッコファン１８が数分間回転した後、停止する。かかる間欠動作は、最もストレス抑制効果が発揮できるとされる香り吹き出し時間及び休止時間に基づいて動作するように設定されたプログラムに基づいて動作する。
【００３０】
「フロアパネル取付型香り発生器の動作説明及び効果」
以上のように構成されたフロアパネル取付型香り発生器８では、駆動スイッチをＯＮすると、モータ２０が駆動されてシロッコファン１８が回転し、図３（Ａ）中矢印で示すように、このシロッコファン１８によって芳香剤容器１５の側面に形成された複数のスリット３０を介して芳香剤１７の香りが水平方向に吸引され、その吸引された香りは、ファン収容室１９の底部３３のＲ形状に沿って滑らかに吹出し口３４へと垂直上方に吹き出される。そして、この吹出し口３４から吹き出された香りは、該吹出し口３４の真上に配置された通風蓋１０の吹出開口部４２から放射状に室内へとまんべんなく吹き出される。この香りの吹き出しは、制御部４５によって前記したように間欠的に行われる。
【００３１】
本実施の形態では、吹出し口３４の開口量を調整自在として芳香の強弱を調整できるシャッター部材３６を設けた構造としているので、室内の香りが強すぎる或いは弱すぎると感じた場合、室内にいる人が簡単に芳香の強弱を調整することができる。これにより、同じ室内にいる多数の人が適度と感じる臭気強度、快適性、受け入れ度を有する香りを提供でき、ストレスを軽減することが可能となり、仕事の能率アップを図ることができる。また、時間的間隔をおいて香りを嗅ぐようにすることで、より効果的にストレスの抑制効果を奏することができる。
【００３２】
また、本実施の形態では、送出しユニットによって芳香剤収容部から水平方向に吸い込んだ香りを吹出し口３４へと垂直上方向に吹き出す通風経路を備えたので、芳香剤１７の香りをシロッコファン１８にて吹出し口３４へとスムーズに流すことができる。
【００３３】
また、本実施の形態では、香りを間欠的に吹き出させる制御部４５を有した構造としているので、時間的間隔をおいて香りを嗅ぐことによる香りの効果が向上し、ストレス抑制効果をより一層高めることができる。
【００３４】
また、本実施の形態では、吹出し口３４を通風蓋１０の略中心と対応する位置に配置したことにより、この通風蓋１０全体からまんべんなく香りを室内へと吹き出させることができる。
【００３５】
また、本実施の形態では、芳香剤容器１５を下ケース１２に対して着脱自在に取り付けた構造としたので、フロアパネル取付型香り発生器８をフロアパネル３から取り外すことなく芳香剤１７の詰め替えを行うことができる。
【００３６】
また、本実施の形態では、フロアパネル取付型香り発生器８が動作しているか否かを示す発光部４０を上ケース１３に設けたので、室内において目視によりスイッチＯＮかＯＦＦかを判別することができる。
【００３７】
また、本実施の形態では、下ケース１２の上に上ケース１３を取り付け、その上ケース１３の一部に吹出し口３４を設けた構造であるので、室内の歩行時に発生する塵や埃などの機器内部への侵入及び芳香能力低下を防止でき、モータ２０の長寿命化を図ることができる。
【００３８】
以上、本発明を適用した具体的な実施の形態について説明したが、本発明は上述の実施の形態に制限されることなく種々の変更が可能である。
【００３９】
例えば、上述の実施の形態では、ファンとしてシロッコファンを使用したが、特にシロッコファンに限定されるものではなく、芳香剤容器１５に収容した芳香剤１７の香りを吸い込んで上ケース１３に形成された吹出し口３４へと上方垂直方向へ滑らかに吹き出すことができるファンであれば構わない。
【図面の簡単な説明】
【００４０】
【図１】本実施の形態のフロアパネル取付型香り発生器であって、通風蓋を取り外した状態を示す平面図である。
【図２】本実施の形態のフロアパネル取付型香り発生器であって、フロアパネルに取り付けた状態を示す横断面図である。
【図３】本実施の形態のフロアパネル取付型香り発生器における本体部を示し、（Ａ）は縦断面図、（Ｂ）は平面図、（Ｃ）は側面図である。
【図４】本実施の形態のフロアパネル取付型香り発生器における下ケースを示し、（Ａ）は平面図、（Ｂ）は底面図である。
【図５】本実施の形態のフロアパネル取付型香り発生器における本体部を示し、（Ａ）は本体部の横断面図、（Ｂ）はシャッター部材によって吹出し口を閉じた状態を示す要部拡大断面図、（Ｃ）はシャッター部材によって吹出し口を開放させた状態を示す要部拡大断面図である。
【図６】本実施の形態のフロアパネル取付型香り発生器における送り出しユニットを制御する機能ブロック図である。
【図７】本実施の形態のフロアパネル取付型香り発生器において、通風蓋を外して持ち上げた状態を示す斜視図である。
【図８】フロアパネル（ワイヤリングパネル）の斜視図である。
【図９】ワイヤリングパネル２枚を切欠部が連通するように配置した状態を示す斜視図である。
【図１０】プレーンパネルとワイヤリングパネルの配置状態を示し、（Ａ）はフロアパネルが全てワイヤリングパネルである場合の例、（Ｂ）はプレーンパネルとワイヤリングパネルの数比が１：１の場合の例、（Ｃ）はプレーンパネルとワイヤリングパネルの数比が３：１となる場合の例を示す説明図である。
【符号の説明】
【００４１】
３…フロアパネル
８…フロアパネル取付型香り発生器
９…本体部
１０…通風蓋
１１…本体ケース
１２…下ケース
１３…上ケース
１５…芳香剤容器
１７…芳香剤
１８…シロッコファン（ファン）
２０…モータ
３４…吹出し口
３６…シャッター部材
４３…タイマー
４５…制御部
【図１】
2005307514.tif 000003
【図２】
2005307514.tif 000004
【図３】
2005307514.tif 000005
【図４】
2005307514.tif 000006
【図５】
2005307514.tif 000007
【図６】
2005307514.tif 000008
【図７】
2005307514.tif 000009
【図８】
2005307514.tif 000010
【図９】
2005307514.tif 000011
【図１０】
2005307514.tif 000012